(57)【特許請求の範囲】
【請求項１】
所定のエリア内への人間の侵入を検出して検出信号を出力する人感センサと、
前記エリア内で携帯電話を使用したとき、該携帯電話から発する所定値以上の電界強度を検出して電界強度検出信号を出力する電界強度検出部と、
前記電界強度検出信号が所定時間以上連続して出力されているか否かを検出し、所定時間以上検出された場合に検出信号を出力する通話時間検出部と、
前記通話時間検出部からの検出信号と、前記人感センサからの検出信号との論理積である合成検出信号を出力する論理積検出部と、
前記論理積検出部からの前記合成検出信号に基づいて所定の警告信号を発生する警告部と
を備える携帯電話使用検出警報装置。
【請求項２】
さらに、前記警告部から前記警告信号が発生されていることを表示する表示部
を備える請求項１に記載の携帯電話使用検出警報装置。
【請求項３】
前記表示部は、前記所定のエリア内で携帯電話を使用している人に前記警告信号が発生されていることを表示するエリア内表示部と、
前記所定のエリアの外部にいる第三者に前記警告信号が発生されていることを表示するエリア外表示部と、
からなる請求項２に記載の携帯電話使用検出警報装置。
【請求項４】
さらに、前記論理積検出部から出力される前記合成検出信号を外部装置に供給する制御部を
備える請求項１〜３のいずれかに記載の携帯電話使用検出警報装置。
【請求項５】
第１から第ｎ（ｎは２以上の自然数）の複数のエリア内に配置される第１から第ｎのエリア内表示部と、
前記第１から第ｎ（ｎは２以上の自然数）の複数のエリアの外部に配置されるエリア外表示部と、
前記第１から第ｎのエリア内で、所定値以上の電界強度を検出して電界強度検出信号を出力する第１から第ｎの電界強度検出部と、
前記電界強度検出信号が所定時間以上連続して出力されているか否かを検出し、所定時間以上検出された場合に検出信号を出力する第１から第ｎの通話時間検出部と、
前記第１から第ｎの各エリア内への人間の侵入を検出して検出信号を出力する第１から第ｎの人感センサと、
前記通話時間検出部からの検出信号と、前記人感センサからの検出信号との論理積である合成検出信号を出力する第１から第ｎの論理積検出部と、
前記第１から第ｎの各エリアに設けた前記第１から第ｎの論理積検出部を選択的に接続するマルチプレクサと、
前記マルチプレクサと接続され、前記マルチプレクサによる前記第１から第ｎの論理積検出部の接続状態に基づいて、前記第１から第ｎの論理積検出部のうちの、いずれかの論理積検出部から出力される合成検出信号が供給されたときに、警告信号を発生する警告部と、
前記警告部からのに警告信号を、前記第１から第ｎのエリア内表示部のいずれかに選択的に供給するとともに、前記警告信号を前記エリア外表示部にも供給する制御部と、
を備える携帯電話使用検出警報装置。
【請求項６】
エリア内への人間の侵入を検出して検出信号を出力する人感センサと、
前記エリア内で携帯電話が使用されたときに、該使用により所定値以上の電界強度を検出して電界強度検出信号を出力する電界強度検出部と、
前記電界強度検出信号が所定時間以上連続して出力されているか否かを検出し、所定時間以上検出された場合に検出信号を出力する通話時間検出部と、
前記通話時間検出部からの検出信号と、前記人感センサからの検出信号の論理積である合成検出信号を出力する論理積検出部と、
前記論理積検出部からの前記合成検出信号に基づいて所定の警告信号を発生する警告部と
を備えるＡＴＭ装置。
【請求項７】
さらに、前記警告部から前記警告信号が発生されていることを表示する表示部を
備える請求項６に記載のＡＴＭ装置。
【発明の詳細な説明】
【技術分野】
【０００１】
本発明は、携帯電話使用検出警報装置及びＡＴＭ装置に関する。
より詳細には、ＡＴＭブース内での携帯電話の使用を検出すると、振り込め詐欺発生の可能性があることを話者及びＡＴＭ管理者に警告する携帯電話使用検出警報装置及びＡＴＭ装置に関する。
【背景技術】
【０００２】
近年、振り込め詐欺の被害者数が増加している。振り込め詐欺とは、電話による誘導やはがき等の文書などで相手を騙し、金銭の振り込みを要求する犯罪行為のことである。
【０００３】
たいていの場合、振り込め詐欺の犯人は被害者に金銭を口座に振り込ませる際、被害者の携帯電話に電話をかけて、金銭を振り込ませる口座番号等の指示を行う。すなわち、ＡＴＭの前にて携帯電話で通話している人やＡＴＭを操作しながら携帯電話で通話している人が、振り込め詐欺の被害者である可能性が高い。
【０００４】
現在のところ、ＡＴＭが設置された銀行、郵便局、農協及びコンビニ等の従業員が、監視員としてＡＴＭコーナーに立ち、上記のような振り込め詐欺の被害者らしき人を見つけては注意を行っている。
【発明の開示】
【発明が解決しようとする課題】
【０００５】
しかしながら、ＡＴＭの前で、携帯電話で通話している人がまったくいない日もある。すなわち、振り込め詐欺防止のためだけに監視員をＡＴＭコーナーに置くことは、店側にとって人件費の無駄遣いであるし、監視員となっている従業員にとって時間の無駄遣いでもある。
また、店にとって、ＡＴＭの前でも、携帯電話で通話をしている人はお客様である。監視員がそのお客様に対し振り込め詐欺の被害者であるか否かを確認する際に、過失でＡＴＭの画面等を見てしまう場合がある。このような監視員による行為は、お客様にとって不愉快であり、お客様の店に対する信用を失いかねない。
【０００６】
本発明は斯かる点に鑑みてなされたものであり、ＡＴＭ前の所定の領域内において携帯電話で通話をしている人を確実に検出し、当該通話者及び従業員等のＡＴＭ管理者にのみ振り込み詐欺発生の可能性があるという旨の警告を発する、携帯電話使用検出警報装置及びＡＴＭ装置を提供することを目的とする。
【課題を解決するための手段】
【０００７】
上記課題を解決するため、本発明による携帯電話使用検出警報装置は、所定のエリア内への人間の侵入を検出して検出信号を出力する人感センサと、エリア内で携帯電話を使用したとき、該携帯電話から発する所定値以上の電界強度を検出して電界強度検出信号を出力する電界強度検出部と、電界強度検出信号が所定時間以上連続して出力されているか否かを検出し、所定時間以上検出された場合に検出信号を出力する通話時間検出部と、通話時間検出部からの検出信号と、人感センサからの検出信号との論理積である合成検出信号を出力する論理積検出部と、論理積検出部からの合成検出信号に基づいて所定の警告信号を発生する警告部とを備えるものである。
【０００８】
所定の領域内への人間の侵入を検出すると共に、携帯電話の発信電波が所定時間以上連続して検出された場合にのみ、振り込め詐欺発生に関する警告を行うようにした。
上記構成によれば、所定のエリア内で、携帯電話で通話が行われた際にだけ、振り込め詐欺発生に関する警告を行うことができる。
【発明の効果】
【０００９】
本発明によれば、従業員を監視員としてＡＴＭコーナーに常に立たせる必要がなくなるので、店舗等にとっての人件費削減及び監視員である従業員にとっての無駄時間削減を図ることができる。さらには、被害者らしき人が自身で振り込め詐欺に気づく可能性が高くなるだけでなく、従業員が被害者らしき人に振り込め詐欺注意の呼びかけを容易に行えるようになる。これにより、振り込み詐欺による被害を効率的に減少させることができる。
【発明を実施するための最良の形態】
【００１０】
以下、本発明の一実施形態の例について、図１〜図４を参照しながら説明する。
一般的に、銀行などのＡＴＭ（Automated Teller Machine）コーナーには、複数台のＡＴＭが設けられている。本実施形態例では、ブースＡ〜Ｄの４つのブースがあり、各ブースにつき一台のＡＴＭが設置されているＡＴＭコーナーを例にして説明を行う。
【００１１】
図１は、本発明の一実施形態に係る携帯電話使用検出警報装置を示す外観図である。
携帯電話使用検出警報装置１０１は、アンテナ１０２と、人感センサ１０３と、ＬＣＤ（Liquid Crystal Display）１０４と、スピーカ１１２と、警告部１０５と、警報制御ボックス１０８とよりなる。
【００１２】
アンテナ１０２、人感センサ１０３、ＬＣＤ１０４及びスピーカ１１２は、各ブースのＡＴＭ１０９一台毎に当該ＡＴＭ１０９の表面に配置する。ただし、人感センサ１０３を配置する位置は、当該人感センサ１０３を配置するＡＴＭ１０９の正面から約１ｍ程度にいる人間のみを検出できるような位置が好ましい。すなわち、ＬＣＤ１０４はエリア内表示部ともいえる。警告部１０５は、銀行員等のＡＴＭ管理者のみが確認できるような場所に設置する。
【００１３】
警報制御ボックス１０８は、例えばブース１１１の屋根の上等の安定した場所に配置する。警報制御ボックス１０８には、所定の回路及び所定の処理を実行するためのマイコン等が入っている。これらの回路及びマイコンは、アンテナ１０２及び人感センサ１０３から入力される信号に基づいて、ＬＣＤ１０４、スピーカ１１２及び警告部１０５を作動させる制御を行うためのものである。また、警報制御ボックス１０８の表面には図２にて後述する操作部１１０が設けられている。なお、警報制御ボックス１０８の詳細な内部構成については、図２及び図３に基づいて後述する。
【００１４】
図２は、本発明の一実施形態における携帯電話使用検出警報装置１０１の機能ブロック図である。携帯電話使用検出警報装置１０１には、各ブースＡ〜Ｄに対応する、アンテナ１０２、人感センサ１０３、ＬＣＤ１０４、スピーカ１１２及び携帯電話検出回路２０２がブースと同数、すなわち４組設けられている。これらは、同じものであるので、ブースＡに対応する、アンテナ１０２ａ、人感センサ１０３ａ、ＬＣＤ１０４ａ、スピーカ１１２ａ及び携帯電話使用検出回路２０２ａの説明のみ行い、ブースＢ〜Ｄに対応する、アンテナ１０２ｂ〜１０２ｂ、人感センサ１０３ｂ〜１０３ｄ、ＬＣＤ１０４ｂ〜１０４ｄ、スピーカ１１２ｂ〜１１２ｄ及び携帯電話使用検出回路２０２ｂ〜２０２ｄの説明は省略する。
【００１５】
アンテナ１０２ａは、所定の空間の電波（電界）を高周波電流に変換するアンテナである。また、人感センサ１０３ａは所定の空間内への人間の侵入の有無を検出する周知のセンサである。これらのアンテナ１０２ａ及び人感センサ１０３ａは携帯電話使用検出回路２０２ａと接続されている。そして、アンテナ１０２ａは変換した高周波電流を携帯電話使用検出回路２０２ａへ出力する。また、人感センサ１０３ａは所定の空間への人間の侵入の有無を携帯電話使用検出回路へ出力する。具体的に言うと、人感センサ１０３ａは、所定の空間への人間の侵入があった場合に論理の真を示す“１”を携帯電話使用検出回路へ出力し、侵入がない場合に論理の偽を示す“０”を携帯電話使用検出回路２０２ａへ出力する。
【００１６】
携帯電話検出回路２０２ａは、アンテナ１０２ａ及び人感センサ１０３ａからの入力に基づいて、“０”あるいは“１”をマルチプレクサ２０３を介してマイコン２０４に出力する回路である。なお、携帯電話検出回路２０２ａの詳細については、図３にて後述する。
【００１７】
マルチプレクサ２０３は、ブースＡ〜Ｄそれぞれに対応する、携帯電話使用検出回路２０２の中の一つと、マイコン２０４とを接続する。すなわち、マルチプレクサ２０３は、各携帯電話使用検出回路２０２からの出力を独立してマイコン２０４に入力するためのスイッチである。
【００１８】
マイコン２０４は、当該マイコン２０４に接続されるクロック２０５の周波数に基づいて、マルチプレクサ２０３を制御する。仮に、クロック２０５の周波数が１０ＭＨｚであるとする。その場合、マイコン２０４はマルチプレクサ２０３の端子Ｘ１と、端子Ａ１〜Ｄ１の中のいずれかの端子との接続を１ｍｓｅｃの周期で逐一切り換えることとなる。
【００１９】
マイコン２０４は、警報部１０５接続されており、さらにスイッチ２０８を介してブースＡ〜Ｄに対応するＬＣＤ１０４及びスピーカ１１２とも接続されている。また、マイコン２０４は、キーボード等で構成される操作部１１０に接続されている。マイコン２０４は、各携帯電話使用検出回路２０２からの出力に基づいて、スピーカ２０９と、ＬＥＤ（Light Emitting Diode）２１０と、ＬＣＤ２１１とよりなる警告部１０５及びスイッチ２０８を制御する。
【００２０】
具体的には、マイコン２０４は、携帯電話使用検出回路２０２から出力される数値が“１”の場合に、“１”を出力している携帯電話使用検出回路２０２がいずれのブースに対応したものなのかを判別する（以下、「ブース判定結果」という）。そして、マイコン２０４は、このブース判別結果に基づいて、スイッチ２０８の端子Ｘ２と、判別したブースに対応する端子（端子Ａ２〜Ｄ２のいずれか一つ）を接続し、該当するブースのＬＣＤ１０４に予め記憶しておいたテキストデータ２０７を表示させると共に、該当するブースのスピーカ１１２から音声データ２０６を出力する。
【００２１】
さらに、マイコン２０４は、ブース判別結果及び音声データ２０６に基づいて、警告部１０５を動作させる。すなわち、予め記憶された音声データ２０６をスピーカ２０９から出力させ、ＬＥＤ２１０を点滅させると共に、ブース判定結果を示す文字列を生成し、当該文字列をＬＣＤ２１１に表示させる。このＬＣＤ２１１が、特許請求の範囲に記載のエリア外表示部に相当する。
なお、テキストデータ２０７は、操作部１１０であるキーボードに対する従業員の操作に基づいて、従業員の所望するテキストデータを作成できるようになっている。
【００２２】
ところで、図１で前述した警報制御ボックス１０８は、４つの携帯電話使用検出回路２０２と、マルチプレクサ２０３と、マイコン２０４と、クロック２０５と、操作部１１０と、スイッチ２０８と、テキストデータ２０７及び音声データ２０６が記憶された図示しない記憶媒体に相当する。本例はブースに設置されたＡＴＭ１０４が４つの例であるため、警報制御ボックス１０８の中に設ける携帯電話使用検出回路２０２の数を４つとし、この携帯電話使用検出回路２０２に接続される、アンテナ１０２及び人感センサ１０３の数をそれぞれ４つとした。しかし、ＡＴＭ１０４の数が前記の例とは異なる場合、ＡＴＭ１０４の数と同じ数の携帯電話検出回路２０２、アンテナ１０２及び人感センサ１０３が必要となる。そのため、警報制御ボックス１０８は、携帯電話使用検出警報装置１０１の設置対象とするＡＴＭ１０４の数に応じて、携帯電話使用検出回路２０２、アンテナ１０２及び人感センサ１０３の数を変更できるように設計されている。
【００２３】
次に、携帯電話使用検出回路２０２の詳細について説明する
図３は、携帯電話使用検出回路２０２のブロック図である。ブースＡ〜Ｄそれぞれに対応する携帯電話使用検出回路２０２ａ〜２０２ｄはすべて同じ構成である。そこで、ブースＡに対応する携帯電話使用検出回路２０２ａに関する説明だけ行い、その他のブースＢ〜Ｄに対応する携帯電話使用検出回路２０２ｂ〜２０２ｄに関する説明は省略する。
【００２４】
電界強度検出部３１６は、アンテナ１０２ａに接続されており、当該アンテナ１０２ａで受信した電波に関して所定値以上の電界強度を検出し、その検出結果を示す電界強度検出信号を出力するものである。
【００２５】
電界強度検出部３１６の電界強度検出回路３０２は、接続されたアンテナ１０２ａで受信した高周波電流から電界強度を示す電圧を検出する回路である。この電界強度検出回路３０２は、抵抗Ｒ３０３及び接地されたコンデンサＣ３０４を介してコンパレータ３０５と接続されており、電界強度を示す電圧信号（抵抗Ｒ３０３にかかる電圧Ｖ１）をコンパレータ３０５へ出力する。抵抗Ｒ３０３及びコンデンサＣ３０４は積分回路を構成し、変動の多い電界強度を示す電圧信号を平滑化する。
【００２６】
コンパレータ３０５は、２つの電圧を比較し、どちらが大きいかで出力が切り替わる素子である。コンパレータ３０５の非反転入力端子（＋）に印加される電圧が、コンパレータ３０５の反転入力端子（−）に印加される電圧よりも大きい場合は“１”を出力し、逆の場合は“０”を出力する。コンパレータ３０５の非反転入力端子（＋）には、電界強度検出回路３０２が接続されており、電圧Ｖ１が印加される。また、コンパレータ３０５の反転入力端子（−）には、電源電圧と接続された抵抗Ｒ３０６及び接地された抵抗Ｒ３０７が接続されており、これらの抵抗Ｒ３０７及び抵抗Ｒ３０６により所定の基準電圧Ｖｉが印加される。すなわち、コンパレータ３０５は、電圧Ｖ１が基準電圧Ｖｉよりも大きい場合は“１”をタイムウィンドウ部３１７に出力し、電圧Ｖ１が基準電圧Ｖｉよりも小さい場合は“０”をタイムウィンドウ部３１７に出力する。この出力が電界強度検出信号に該当する。
【００２７】
タイムウィンドウ部３１７は、電界強度検出部３１６と接続されており、入力される電界強度検出信号が所定時間以上連続して入力されているか否かを検出し、その検出結果を示す連続出力検出信号を出力するものである。なお、タイムウィンドウ部３１７が通話時間検出部に相当する。
【００２８】
タイムウィンドウ部３１７のカウンタ３０８の入力端子は、コンパレータ３０５に接続されている。また、カウンタ３０８のリセット用端子には、コンパレータ３０５が反転増幅器３０９を介して接続されている。さらに、カウンタ３０８には、周期が１ｓｅｃのクロックを出力する１Ｓクロック３１０が接続されている。つまり、カウンタ３０８は、コンパレータ３０５から入力される数値が“１”の場合には当該信号を１ｓｅｃ毎にカウントし、コンパレータから入力される数値が“０”の場合にはカウンタのリセットを行う。すなわち、カウンタ３０８は“１”がコンパレータ３０５から連続して出力される時間（以下、「発信電波継続時間」という）をデジタルコンパレータ３１１に出力する。
【００２９】
デジタルコンパレータ３１１は、２つの数値を比較し、どちらが大きいかで出力が切り替わる素子である。デジタルコンパレータ３１１の第一入力端子に入力される数値がデジタルコンパレータ３１１の第二入力端子に入力される数値よりも大きい場合は“１”を出力し、逆の場合は“０”を出力する。デジタルコンパレータ３１１の第一入力端子には、カウンタ３０８が接続されており、発信電波継続時間が入力される。また、デジタルコンパレータ３１１の第二入力端子には、基準時間を示す値として「２」が入力される。すなわち、コンパレータは、携帯電話連続使用時間が基準時間（２ｓｅｃ）よりも大きい（長い）場合は“１”をＡＮＤ回路３１２に出力し、発信電波継続時間が基準時間よりも小さい（短い）場合は“０”をＡＮＤ回路３１２に出力する。このＡＮＤ回路３１２への出力が連続出力検出信号に該当する。
【００３０】
ＡＮＤ回路３１２は、入力される２つの数値の論理積を計算する回路である。ＡＮＤ回路３１２には、カウンタ３０８及び人感センサ１０３ａが接続されており、カウンタ３０８及び前述の人感センサ１０３ａからそれぞれ所定の数値（“０”または“１”）が入力される。すなわち、ＡＮＤ回路３１２は、カウンタ３０８及び人感センサ１０３ａから入力されたそれぞれの数値の論理積を計算し、計算した論理積をマルチプレクサ２０３の端子Ａ１及び端子Ｘ１を介して図２に示すマイコン２０４へ出力する。なお、ＡＮＤ回路３１２が論理積検出部に相当する。
【００３１】
次に、このような携帯電話使用検出警報装置１０１をＡＴＭが設けられたブースに設置した場合の動作について図４及び図５を参照して説明する。
【００３２】
ブースＡ付近の所定の領域内における発信電波は、アンテナにより受信される。そして、受信された発信電波は電界強度検出回路３０２、抵抗Ｒ３０３及びコンデンサＣ３０４により電界強度に比例する電圧信号（Ｖ１）に変換される。この電圧信号（Ｖ１）の一例を図４（ａ）に示す。
【００３３】
図４（ａ）は、図３のＰ３１３における電圧信号（Ｖ１）を示す波形図である。
縦軸は電界強度を示しており、横軸は時間軸となっている。閾値は前述の基準電圧（Ｖｉ）である。期間ａ〜ｃは、電圧信号Ｖ１が基準電圧（Ｖｉ）を超えた期間を表す。期間ａ及び期間ｂは、トラックの無線や携帯電話によるメールの送受信等の電波をアンテナで受信した期間を想定している。トラックの無線や携帯電話によるメールの送受信による電界強度の上昇は瞬間的であり、期間ａ及び期間ｂはそれぞれ１ｓｅｃ及び０．５ｓｅｃである。また、期間ｃは、携帯電話での通話に起因する発信電波をアンテナで受信した期間を想定している。期間ｃは、期間ａ及び期間ｂよりも長く、５ｓｅｃとなっている。
【００３４】
このような図４（ａ）に示す電圧信号（Ｖ１）がコンパレータ３０５に入力されたとする。すると、コンパレータ３０５では、電圧信号（Ｖ１）が、コンパレータ３０５に予め設定された、前述の基準電圧（Ｖｉ）と比較される。そして、電圧信号（Ｖ１）が基準電圧（Ｖｉ）よりも大きい場合、“１”がコンパレータ３０５から出力される。電圧信号（Ｖ１）が基準電圧（Ｖｉ）よりも小さい場合、“０”がコンパレータ３０５から出力される。コンパレータ３０５から出力される信号は図４（ｂ）のような信号となる。すなわち、コンパレータ３０５から出力される信号は、期間ａの１秒間，ｂの０．５秒間，ｃの５秒間において“１”となり、その他の期間において“０”となる。つまり、図３のＰ３１４における信号は、図４（ｂ）のようになる。
【００３５】
そして、この図４（ｂ）に示す信号がカウンタ３０８の入力端子に入力される。それと同時に、図４（ｂ）に示す信号が、反転増幅器３０９によって論理反転されて、コンパレータ３０５からカウンタ３０８のリセット用端子に入力される。さらに、図４（ｃ）に示すクロックが、１Ｓクロック３１０からカウンタ３０８へ入力されている。
【００３６】
そのため、カウンタ３０８では、入力端子に入力される図４（ｂ）に示す信号を、図４（ｃ）の波形が“１”となるタイミング、すなわち１ｓｅｃ毎にカウントする。そして、図４（ｂ）に示す信号の立ち下がりのタイミングでリセットが行われる。すなわち、コンパレータ３０５からカウンタ３０８の入力端子に入力される信号が連続して“１”となる秒数（前述の発信電波継続時間）が、カウンタ３０８からデジタルコンパレータ３１１へ出力される。
【００３７】
すると、デジタルコンパレータ３１１では、発信電波継続時間がデジタルコンパレータ３１１に予め設定された、前述の基準時間（２ｓｅｃ）と比較される。そして、図４（ｄ）に示すように、発信電波継続時間が基準時間を超えた段階（期間ｃの始点から３ｓｅｃ後）で“１”がデジタルコンパレータ３１１から出力され、発信電波継続時間が基準時間を超えなかった場合は“０”がデジタルコンパレータ３１１から出力される。すなわち、図３のＰ３１５における信号は、図４（ｄ）のようになる。そして、この図４（ｄ）に示す信号はＡＮＤ回路３１２に入力される。
【００３８】
ところで、図４に示す期間において、人感センサ１０３ａが常にブースＡ付近の所定の領域に人間の侵入を検知している状態だと仮定する。すなわち、人感センサ１０３ａからＡＮＤ回路３１２に出力される信号が図４（ｅ）に示す信号であるとする。このような場合、ＡＮＤ回路３１２では、人感センサ１０３ａからの信号（“１”）と図４（ｄ）に示すデジタルコンパレータ３１１から入力される信号の論理積が導出され、導出した論理積を示す信号（以下、「警告制御信号」という）を出力する。なお、警告制御信号を示す波形図を図４（ｆ）に示す。
【００３９】
そして、図４（ｆ）に示すような警報制御信号が、マルチプレクサ２０３の端子Ａ１及び端子Ｘ２を通じてマイコン２０４に入力される。すると、警報制御信号が“１”である期間（期間ｄ）において、音声データ２０６がスピーカ２０９より出力される。また、前述のブース判定結果を示す文字列（ブースＡを示す文字列）がＬＣＤ２１１に表示に表示される。また、ＬＥＤ２１０を点滅させるための制御信号が生成され、ＬＥＤ２１０に入力される。さらに、スイッチ２０８の端子Ａ２と、端子Ｘ２とを接続するようにスイッチ２０８を制御するスイッチ制御信号が生成され、スイッチ２０８に入力される。すると、テキストデータ２０７がブースＡのＬＣＤ１０４ａに表示されると共に、音声データ２０６がブースＡのスピーカ１１２ａから出力される。
【００４０】
ブースＢの携帯電話使用検出回路２０２ｂからマイコン２０４へ“１”が入力された場合は、ＬＣＤ２１１には、ブースＢを示す文字列が表示される。そして、スイッチ制御信号はスイッチ２０８の端子Ｂ２と、端子Ｘ２とを接続し、ＬＣＤ１０４ｂにテキストデータ２０７が表示されると共に、スピーカ１１２ｂから音声データ２０６が出力される。
【００４１】
ブースＣ及びブースＤの携帯電話使用検出回路２０２ｃ，２０２ｄから“１”が出力された場合においても、ＬＣＤ２１１には、ブースＣ又はブースＤを示す文字列が表示される。そして、スイッチ２０８が同様に制御され、ＬＣＤ１０４ｃ又はＬＣＤ１０４ｄにテキストデータ２０７が表示されると共に、スピーカ１１２ｃ又はスピーカ１１２ｄから音声データ２０６が出力されることはいうまでもない。
【００４２】
以下に応用例について、図５及び図６を参照して説明する。
（１）図５は、他の実施形態に係る携帯電話使用検出警報装置を示す外観図である。
また、図６は、他の実施形態に係る携帯電話使用検出警報装置の機能ブロック図である。なお、本例では、一つのＡＴＭ本体５０３に携帯電話使用検出警報装置５０２を適用してなるＡＴＭ装置５０１を例に説明を行う。
【００４３】
ＡＴＭ装置５０１は、携帯電話使用検出警報装置５０２と、周知のＡＴＭ装置本体部５０３とよりなる。本例のように携帯電話使用検出警報装置５０２を適用するＡＴＭ本体が一台の場合、携帯電話使用検出警報装置５０２は、図５に示すように、第一の実施形態の携帯電話使用検出警報装置１０１（図２を参照）からＬＣＤ１０４、マルチプレクサ２０２及びスイッチ２０８を除く構成となっている。また、携帯電話使用検出警報装置５０２には、アンテナ１０２、人感センサ１０３及び携帯電話使用検出回路２０２が、それぞれ一つずつ設けられている。以下、第一の実施形態の携帯電話使用検出警報装置２０２と共通部分の説明は省略する。
【００４４】
携帯電話使用検出警報装置５０２のマイコン５０５は、ＡＴＭ本体部５０３のマイコン５０６と接続されている。マイコン５０５は、アンテナ１０２が前述の基準時間以上の発振電波の継続を受信し、さらに人感センサ１０３のいずれかが所定の領域内への人間の侵入を検出した場合に、携帯電話使用検出回路２０２から出力される前述の警報制御信号をＡＴＭ本体部５０３のマイコン５０６に出力する。
【００４５】
そして、マイコン５０６は、警報制御信号に基づいて、表示部の一例であるタッチパネル５０７に所定の文字または文章等を表示させる。具体例を示すと、マイコン５０６に入力された警報制御信号が真を示す“１”の場合、マイコン５０６は「注意！」あるいは「振り込め詐欺の可能性がありますので注意してください！」等の文字または文章をタッチパネル５０７に表示させる。また、入力された警報制御信号が偽を示す“０”の場合、マイコン５０６は特に何も行わない。本例での警報制御信号は、ＡＴＭ本体部５０３のマイコンを制御するための、いわゆるマイコン制御信号である。
【００４６】
上述した一実施形態では、テキストデータ２０７（振り込め詐欺を警告する文字又は文章）をブースに設置されたＡＴＭに表示するための手段としてＬＣＤ１０４を設けたが、マイコン制御信号により、ＬＣＤ１０４の代替としてＡＴＭ本体部５０３のタッチパネル５０７を利用できる。
【００４７】
（２）上述した一実施形態では、複数のＡＴＭに携帯電話使用検出警報装置１０１を適用した。しかし、ＡＴＭ一台に適応する場合は、他の実施形態の携帯電話使用検出警報装置５０２と同様に、マルチプレクサ２０３及びスイッチ２０８を設けなくても実現できる。
【００４８】
（３）上述した他の実施形態では、一台のＡＴＭに携帯電話使用検出警報装置５０２を適用した。しかし、複数台のＡＴＭに適応する際には、一実施形態の携帯電話使用検出警報装置１０１と同様に、マルチプレクサ２０３及びスイッチ２０８を設けてやればよい。そうすれば、複数台のＡＴＭのいずれかのマイコンにマイコン制御信号を出力することができるようになる。
【００４９】
（４）上述した他の実施形態において、マイコン制御制御信号を利用してＡＴＭ本体部５０３に設けられたスピーカ（図示しない）から振り込め詐欺注意を呼びかける音声を発生させるようにすることもできる。その場合、スピーカ１１２を携帯電話使用検出警報装置５０５に設ける必要がなくなるので、携帯電話使用検出警報装置をより安価に製造できるようになる。
【００５０】
（５）上述した実施形態では、携帯制御ボックスと警報部の接続方法について具体的には指定しなかったが、無線接続や有線接続等のいかなる接続方法を用いてもよい。
【００５１】
（６）上述した実施形態では、タイムウィンドウ部３１７で所定のレベル以上の連続した電波の検出を行っていた。
ところで、電界強度検出部３１６の後続に、抵抗とコンデンサよりなる積分回路を設けている。この積分回路の定数を適切に設定するか、或はオペアンプを用いたアクティブ型の積分回路を設けることにより、タイムウィンドウ部３１７の機能を積分回路に兼用させることもできる。つまり、積分定数が十分に大きければ、メール等の短時間の電波の発生に対しては感応せず、通話等の長時間の電波の発生を検出することができる。
【００５２】
（７）上述した実施形態では、マイコン制御信号でＡＴＭ本体部を制御したが、このマイコン制御信号で例えばインターホン等も制御できる。つまり、ＡＴＭの前で携帯電話での通話が行われると、マイコン制御信号により当該インターホンを起動するということができる。具体的な使用例として、このインターホンの接続先をＡＴＭ管理者がいる場所に設けておけば、ＡＴＭ管理者がＡＴＭの前で携帯電話の通話機能を使用している人に振り込め詐欺注意を呼びかけることができるようになる。そのため、振り込め詐欺の被害者数減少に多大なる効果が期待できる。
【００５３】
以上説明したように、携帯電話使用検出警報装置は、各ブースに設置されたＡＴＭ毎に当該ＡＴＭ付近の所定の領域への人間の侵入の有無と、基準時間より長く発信される電波の有無とのＡＮＤ条件を検出できるようになっている。そして、このＡＮＤ条件が“有”の場合に、当該ＡＮＤ条件を満たすブースのＡＴＭがどれかを特定する。そして、特定したブースのＡＴＭを操作しながら携帯電話を使用している人（以下、「被害者らしき人」という）及び従業員に振り込め詐欺発生の可能性を通知するようにした。そのため、被害者らしき人が自身で振り込め詐欺に気づく可能性が高くなるだけでなく、従業員が被害者らしき人に振り込め詐欺注意の呼びかけを容易に行えるようになる。すなわち、振り込み詐欺による被害を効率的に減少させることができる、という効果がある。
さらには、従業員を監視員として常にＡＴＭコーナーに配置しておく必要がなくなるので、ＡＴＭが設置してある銀行、郵便局、農協及びコンビニの人件費削減及び従業員の無駄時間削減を図ることができる。
【００５４】
また、本発明の携帯電話使用検出警報装置は、ＡＴＭに対して所定の情報を提供できるようになっている。そのため、提供された所定の情報をＡＴＭ自身が処理し、当該ＡＴＭのタッチパネル（表示画面）に表示できるようになる。すなわち、ＡＴＭのタッチパネルを携帯電話使用検出警報装置のＬＣＤに表示の代替として利用することができる。これにより、携帯電話使用検出警報装置にＬＣＤを設ける必要がなくなるので、携帯電話使用検出警報装置の生産コストを低減することできる、という効果がある。
【００５５】
以上、本発明の実施形態の例について説明したが、本発明は上記実施形態例に限定されるものではなく、特許請求の範囲に記載した本発明の要旨を逸脱しない限りにおいて、他の変形例、応用例を含むことはいうまでもない。
【図面の簡単な説明】
【００５６】
【図１】本発明の一実施形態に係る携帯電話使用検出警報装置を示す外観図である。
【図２】本発明の一実施形態に係る携帯電話使用検出警報装置を示す機能ブロック図である。
【図３】携帯電話使用検出回路を示すブロック図である。
【図４】携帯電話使用検出回路の各ブロックから出力される信号を示す波形図である。
【図５】本発明の他の実施形態に係る形態電話使用検出装置を示す外観図である。
【図６】本発明の他の実施形態に係る形態電話使用検出装置を示す機能ブロック図である。
【符号の説明】
【００５７】
１０１…携帯電話使用検出警報装置、１０２…アンテナ、１０３…人感センサ、１０４…ＬＣＤ、１０５…警告部、１０８…警報制御ボックス、１０９…ＡＴＭ、１１０…操作部、１１１…ブース、１１２…スピーカ、２０２…携帯電話使用検出回路、２０３…マルチプレクサ、２０４…マイコン、２０５…クロック、２０６…音声データ、２０７…テキストデータ、２０８…スイッチ、２０９…スピーカ、２１０…ＬＥＤ、２１１…ＬＣＤ、３０２…電界強度検出回路、Ｒ３０３…抵抗、Ｃ３０４…コンデンサ、３０５…コンパレータ、Ｒ３０６…抵抗、Ｒ３０７…抵抗、３０８…カウンタ、３０９…反転増幅器、３１０…１Ｓクロック、３１１…デジタルコンパレータ、３１２…ＡＮＤ回路、３１６…電界強度検出部、３１７…タイムウィンドウ部、５０１…ＡＴＭ装置、５０２…携帯電話使用検出警報装置、５０３…ＡＴＭ本体部、５０４…警報制御ボックス、５０５…マイコン、５０６…マイコン、５０７…タッチパネル
【図１】
0004474571.tif 000002
【図２】
0004474571.tif 000003
【図３】
0004474571.tif 000004
【図４】
0004474571.tif 000005
【図５】
0004474571.tif 000006
【図６】
0004474571.tif 000007